(57)【要約】【課題】商品サンプル室の背板を用いずに簡単な構成で容易且つ安定的にサンプル保持台を取り付けることができると共に、商品販売促進効果も向上させることが可能な自動販売機を提供する。【解決手段】商品サンプル室４内に位置してスイッチ取付板３６に取り付けられる照明保持具４３と、照明保持具４３に保持される照明装置６６と、照明装置の上側に位置して商品サンプル室４内に設けられ、商品サンプルＳを保持する透光性のサンプル保持台４４を備える。照明保持具は、スイッチ取付板の後側で起立する起立辺４５を有する。サンプル保持台は、前壁５７から突出する係合片６２を有し、前壁が起立辺の後面に当接した状態で、係合片がスイッチ取付板に上側から着脱可能に係合することにより取り付けられる。【選択図】図４
2014112299.tif 000002
【特許請求の範囲】
【請求項１】
本体の前面開口を開閉自在に閉塞する外扉と、該外扉内に構成され、商品のサンプルを陳列する商品サンプル室とを備えた自動販売機において、
前記外扉に設けられ、前記商品サンプル室の前面に位置する透明なウィンド板と、
前記商品サンプル室の背面に位置する背板と、
前記ウィンド板の内面側に設けられたスイッチ取付板と、
前記ウィンド板の外面側に配置され、当該ウィンド板を前記スイッチ取付板と共に挟持するかたちで当該スイッチ取付板に取り付けられる商品選択スイッチと、
前記商品サンプル室内に位置して前記スイッチ取付板に取り付けられる照明保持具と、
該照明保持具に保持される照明装置と、
該照明装置の上側に位置して前記商品サンプル室内に設けられ、前記商品のサンプルを保持する透光性のサンプル保持台とを備え、
前記照明保持具は、前記スイッチ取付板の後側で起立する起立辺を有すると共に、
前記サンプル保持台は、前壁から突出する係合片を有し、前記前壁が前記起立辺の後面に当接した状態で、前記係合片が前記スイッチ取付板に上側から着脱可能に係合することにより取り付けられることを特徴とする自動販売機。
【請求項２】
前記スイッチ取付板は係合孔を有し、前記サンプル保持台の係合片は、前記係合孔に挿入されて前記スイッチ取付板に係合することを特徴とする請求項１に記載の自動販売機。
【請求項３】
前記照明保持具は、前記スイッチ取付板に対して部分的に設けられることを特徴とする請求項１又は請求項２に記載の自動販売機。
【請求項４】
前記照明保持具は、前記照明装置を保持する保持片を有し、該保持片は前記照明装置を上方、若しくは、斜め後ろ上方に指向させた状態で当該照明装置を保持することを特徴とする請求項１乃至請求項３のうちの何れかに記載の自動販売機。
【請求項５】
前記照明装置は、ＬＥＤ素子にて構成されていることを特徴とする請求項１乃至請求項４のうちの何れかに記載の自動販売機。
【請求項６】
前記照明装置は、前記ＬＥＤ素子を収納する透光性のケースを有し、該ケースには前記ＬＥＤ素子の基板裏側に位置して当該ＬＥＤ素子からの配線を保持する配線保持部が一体に形成されていることを特徴とする請求項５に記載の自動販売機。
【発明の詳細な説明】
【技術分野】
【０００１】
本発明は、外扉内に構成された商品サンプル室を備えた自動販売機に関するものである。
【背景技術】
【０００２】
従来よりこの種自動販売機においては、本体の前面を閉塞する外扉の上部に商品サンプル室が構成され、この商品サンプル室に販売する商品のサンプルを陳列している。この場合、外扉には商品サンプル室の前面に位置して透明なウィンド板が取り付けられ、このウィンド板の外面に商品選択スイッチが取り付けられる。また、商品サンプル室の背面に位置する背板には商品選択スイッチの後方に対応してサンプル保持台が取り付けられ、サンプルはこのサンプル保持台に保持される構造とされていた（例えば、特許文献１参照）。
【先行技術文献】
【特許文献】
【０００３】
【特許文献１】特開２００４−８６８５３号公報
【発明の概要】
【発明が解決しようとする課題】
【０００４】
上述のように従来では商品のサンプルを保持するサンプル保持台が、商品サンプル室の背板に取り付けられる構造とされていたため、背板の前面に大きく広告パネル等を取り付けて広告を行うことが難しく、商品サンプル室の背景は、白色等の塗装が施された背板の前面にて構成されるのみであった。
【０００５】
本発明は、係る従来の技術的課題を解決するためになされたものであり、商品サンプル室の背板を用いずに簡単な構成で容易且つ安定的にサンプル保持台を取り付けることができると共に、商品販売促進効果も向上させることが可能な自動販売機を提供することを目的とするものである。
【課題を解決するための手段】
【０００６】
上記課題を解決するために本発明の自動販売機は、本体の前面開口を開閉自在に閉塞する外扉と、この外扉内に構成され、商品のサンプルを陳列する商品サンプル室とを備えたものであって、外扉に設けられ、商品サンプル室の前面に位置する透明なウィンド板と、商品サンプル室の背面に位置する背板と、ウィンド板の内面側に設けられたスイッチ取付板と、ウィンド板の外面側に配置され、当該ウィンド板をスイッチ取付板と共に挟持するかたちで当該スイッチ取付板に取り付けられる商品選択スイッチと、商品サンプル室内に位置してスイッチ取付板に取り付けられる照明保持具と、この照明保持具に保持される照明装置と、この照明装置の上側に位置して商品サンプル室内に設けられ、商品のサンプルを保持する透光性のサンプル保持台とを備え、照明保持具は、スイッチ取付板の後側で起立する起立辺を有すると共に、サンプル保持台は、前壁から突出する係合片を有し、前壁が起立辺の後面に当接した状態で、係合片がスイッチ取付板に上側から着脱可能に係合することにより取り付けられることを特徴とする。
【０００７】
請求項２の発明の自動販売機は、上記発明においてスイッチ取付板は係合孔を有し、サンプル保持台の係合片は、係合孔に挿入されてスイッチ取付板に係合することを特徴とする。
【０００８】
請求項３の発明の自動販売機は、上記各発明において照明保持具は、スイッチ取付板に対して部分的に設けられることを特徴とする。
【０００９】
請求項４の発明の自動販売機は、上記各発明において照明保持具は、照明装置を保持する保持片を有し、この保持片は照明装置を上方、若しくは、斜め後ろ上方に指向させた状態で当該照明装置を保持することを特徴とする。
【００１０】
請求項５の発明の自動販売機は、上記各発明において照明装置は、ＬＥＤ素子にて構成されていることを特徴とする。
【００１１】
請求項６の発明の自動販売機は、上記発明において照明装置は、ＬＥＤ素子を収納する透光性のケースを有し、このケースにはＬＥＤ素子の基板裏側に位置して当該ＬＥＤ素子からの配線を保持する配線保持部が一体に形成されていることを特徴とする。
【発明の効果】
【００１２】
本発明によれば、本体の前面開口を開閉自在に閉塞する外扉と、この外扉内に構成され、商品のサンプルを陳列する商品サンプル室とを備えたものであって、外扉に設けられ、商品サンプル室の前面に位置する透明なウィンド板と、商品サンプル室の背面に位置する背板と、ウィンド板の内面側に設けられたスイッチ取付板と、ウィンド板の外面側に配置され、当該ウィンド板をスイッチ取付板と共に挟持するかたちで当該スイッチ取付板に取り付けられる商品選択スイッチと、商品サンプル室内に位置してスイッチ取付板に取り付けられる照明保持具と、この照明保持具に保持される照明装置と、この照明装置の上側に位置して商品サンプル室内に設けられ、商品のサンプルを保持する透光性のサンプル保持台とを備え、照明保持具は、スイッチ取付板の後側で起立する起立辺を有すると共に、サンプル保持台は、前壁から突出する係合片を有し、前壁が起立辺の後面に当接した状態で、係合片がスイッチ取付板に上側から着脱可能に係合することにより取り付けられるようにしたので、商品のサンプルを保持するサンプル保持台を、商品選択スイッチをウィンド板に取り付けるためのスイッチ取付板とそれに取り付けられる照明保持具を用いて取り付けることができるようになる。
【００１３】
これにより、商品サンプル室の背面に位置する背板にサンプル保持台を取り付ける必要が無くなるので、背板の前面に大型の広告パネル等を設けて広告を行うことが可能となる。従って、自動販売機による商品の販売促進効果を著しく改善することができるようになる。
【００１４】
この場合、サンプル保持台の前壁を照明保持具の起立辺の後面に当接させた状態で、係合片をスイッチ取付板に上方から係合させる構造としたので、照明保持具の起立辺がサンプル保持台を取り付ける際の案内となり、サンプル保持台を取り付ける作業も極めて容易となる。また、サンプル保持台の前壁は照明保持具の起立辺に当接しており、且つ、サンプル保持台の係合片がスイッチ取付板に係合しているので、サンプル保持台は商品サンプル室内に安定的に取り付けられることになる。
【００１５】
更に、サンプル保持台は透光性であるので、商品のサンプルを透光性の素材にて構成すれば、下側に位置する照明装置からの光により商品のサンプルを下方から照明し、際立たせることが可能となる。これにより、商品のサンプルを商品サンプル室内において浮遊感を持たせて陳列することができるようになり、これによっても商品の販売促進効果を顕著に向上させることが可能となるものである。
【００１６】
この場合、請求項２の発明の如くスイッチ取付板に係合孔を設け、サンプル保持台の係合片が、係合孔に挿入されてスイッチ取付板に係合するようにすれば、サンプル保持台の左右方向への移動も規制されるので、より安定的にサンプル保持台を取り付けることができるようになる。
【００１７】
また、請求項３の発明の如く照明保持具を、スイッチ取付板に対して部分的に設けるようにすれば、照明保持具が照明装置からの光の照射の邪魔になり難くなり、商品サンプル室内における商品のサンプル陳列効果がより一層向上する。
【００１８】
また、請求項４の発明の如く照明保持具が、照明装置を保持する保持片を有し、この保持片が照明装置を上方に指向させた状態で照明装置を保持するようにすれば、商品のサンプルを下方から効果的に照明することができるようになる。また、斜め後ろ上方に指向させた場合には、背板も明るく照明して演出効果を向上させることができるようになる。
【００１９】
この場合、請求項５の発明の如く照明装置をＬＥＤ素子にて構成すれば、蛍光灯等の照明器具を用いる場合に比して、省エネルギーと省資源にも寄与することができるようになる。
【００２０】
また、請求項６の発明の如く照明装置が、ＬＥＤ素子を収納する透光性のケースを有し、このケースにＬＥＤ素子の基板裏側に位置して当該ＬＥＤ素子からの配線を保持する配線保持部を一体に形成すれば、ＬＥＤ素子からの配線の処理も極めて容易に行うことができるようになると共に、配線がＬＥＤ素子からの光の邪魔にもなり難くなるものである。
【図面の簡単な説明】
【００２１】
【図１】本発明を適用した実施例の自動販売機の正面図である。
【図２】図１の自動販売機の外扉を開放した状態の斜視図である。
【図３】図１の自動販売機の外扉の後方斜視図である。
【図４】図１の自動販売機のサンプル保持台部分の一部切欠拡大側面図である。
【図５】図１の自動販売機の商品選択スイッチ、スイッチ取付板、照明保持具、及び、サンプル保持台の前方斜視図である。
【図６】図５の後方斜視図である。
【図７】図５の分解図である。
【図８】図４の照明保持具の前方斜視図である。
【図９】図４の照明保持具の上後方斜視図である。
【図１０】図４の照明保持具の下後方斜視図である。
【図１１】図４の照明装置の一部切欠斜視図である。
【図１２】図４の照明装置を商品サンプル室上端の照明取付板に取り付けた状態の断面図である。
【図１３】図１２の照明取付板と照明装置の後方斜視図である。
【発明を実施するための形態】
【００２２】
以下、本発明の実施の形態について、図面を用いて詳細に説明する。図１は実施例の自動販売機１の正面図を示し、図２は外扉３を開いた状態の自動販売機１の斜視図をそれぞれ示している。実施例の自動販売機１は、前面が開口した断熱性の本体２と、この本体２の前面を開閉自在に閉塞するよう一側（実施例では向かって左側）が本体２に回動自在に枢支された外扉３を備えている。
【００２３】
この外扉３の前面上部には商品サンプル室４が構成されており、この商品サンプル室４内に陳列された複数の各商品サンプルＳ（販売する商品のサンプル）に対応して複数の商品選択スイッチ６が配置されている。また、商品サンプル室４の下側の外扉３前面には、広告表示部５が構成されており、この広告表示部５の下側の外扉３前面下部には商品取出口７が構成されている。
【００２４】
更に、外扉３前面の向かって右側（非枢支側）中央部には化粧パネル８が取り付けられており、この化粧パネル８内に位置して硬貨投入口９、返却レバー１１が設けられている。また、この化粧パネル８の向かって左側の外扉３前面には、金額表示器１２が取り付けられている。更に、この金額表示器１２の下側の外扉３前面には紙幣識別装置（ビルバリ）１４が取り付けられており、商品取出口７の向かって右側の外扉３前面には硬貨返却口１３が構成されている。
【００２５】
一方、本体２の内部には上下左右及び後面が断熱壁で囲繞され、前面が開口した商品収納部１６が構成されており、この商品収納部１６は断熱性の仕切板１７によって左右方向が仕切られている。この仕切板１７で仕切られた商品収納部１６内には、販売する商品が蛇行状の商品通路に収納されるサーペンタイン式の商品収納コラム１８が前後方向及び左右方向に複数設けられている。
【００２６】
商品収納部１６の前面には、それぞれ断熱性を有し、商品収納部１６の前面開口の上部側を開閉するための上部側内扉２１と、商品収納部１６の前面開口の下部側を開閉するための下部側内扉２２が設けられている。この下部側内扉２２は本体２に回動自在に枢支されている。
【００２７】
また、下部側内扉２２の下部には商品収納部１６側と外扉３側とを連通する商品搬出口２３が左右方向に並設されている。各商品搬出口２３には開閉自在の搬出扉２４が上縁を中心して回動自在に取り付けられており、前方に案内される商品に押されて回転し、商品搬出口２３を開放して商品を商品取出口７に搬出する構成とされている。また、商品収納部１６の前側下部には、商品収納部１６内において生じる結露水を受容するドレン受け２６が設けられている。
【００２８】
他方、上部側内扉２１は、外扉３の商品サンプル室４の背面に位置して当該外扉３に取り付けられており、外扉３を開閉することにより、上部側内扉２１によって商品収納部１６の前面開口の上部側が開閉される構成とされている。更に、上部側内扉２１は外扉３を開放した状態で、当該外扉３から独立して後方に開閉自在とされ、上部側内扉２１を外扉３から後方に開いた状態で、商品サンプル室４内に陳列される商品サンプルＳを交換できるように構成されている。
【００２９】
次に、図３乃至図１２を参照して本発明に係る商品サンプル室４及びその内部に設けられる部材の詳細構造を説明する。外扉３は商品サンプル室４に対応して窓孔が形成されており、この窓孔にはアクリル板等から構成された透明なウィンド板３０が嵌め込まれて取り付けられている。そして、このウィンド板３０が商品サンプル室４の前面に位置するかたちとなる。また、上部側内扉２１は、商品サンプル室４の背面に位置する金属製の前面板３１と、その後側に設けられた断熱材３２と、断熱材３２の下側に設けられた金属製のカバー３３等から構成されている。そして、この上部側内扉２１の前面板３１が商品サンプル室４の背板となる。
【００３０】
前記商品選択スイッチ６は、上記ウィンド板３０の外面側に配置されており、実施例では上下三段で構成されている。各段の商品選択スイッチ６に対応する位置のウィンド板３０の内面側には、スイッチ取付板３６がそれぞれ配置されている。このスイッチ取付板３６は横長の板金から成り、上下方向の前壁３７と、この前壁３７の下端から後方に略水平に延在する底壁３８と、底壁３８の後端から略垂直に起立した被取付フランジ３９と、前壁３７の上端から後方に略水平に延在する上壁４０と、この上壁４０の後端から略垂直に起立する起立壁４１が一体に折曲形成されている。更に、上壁４０後部の左右端及び中央部（計三カ所、中央部は二倍の長さ）には、スリット状の係合孔４０Ａが形成されている（図７）。
【００３１】
また、スイッチ取付板３６の前壁３７の後面には止め板４２が取り付けられている。そして、商品選択スイッチ６はウィンド板３０をスイッチ取付板３６と挟持するかたちで、ウィンド板３０を貫通するネジにより、スイッチ取付板３６の止め板４２に取り付けられている。尚、商品選択スイッチ６は電気的接点が内蔵されているものであるが、その周囲の大部分は透光性の樹脂にて構成されている。
【００３２】
そして、このスイッチ取付板３６には更に、商品サンプル室４内に位置して照明保持具４３が取り付けられ、この照明保持具４３の上側に位置して当該照明保持具４３に後述する照明装置６６が保持されると共に、照明保持具４３とスイッチ取付板３６を利用し、照明装置６６の上側に位置して後述するように商品サンプルＳを保持するサンプル保持台４４が取り付けられる。
【００３３】
この場合、照明保持具４３は図４、図８〜図１０に示す如き幅狭の短冊状板金を折り曲げたものであり、底辺４６と、この底辺４６の前端から略垂直に起立した起立辺４５と、底辺４６の後端から斜め上後方に傾斜しながら起立した保持辺４７と、底辺４６の略中央部を密着曲げして下方に突出させた取付辺４８が一体に折曲形成されている。また、底辺４６及び保持辺４７には透孔（丸孔）４９がそれぞれ穿設されており、これら透孔４９により透光部を構成している。更に、保持辺４７の先端には突辺５１が形成され、取付辺４８にはネジ孔５２が形成されている。
【００３４】
係る照明保持具４３は一つのスイッチ取付板３６に対して実施例では四個に取り付けられる。即ち、四個の照明保持具４３が、スイッチ取付板３６の左右端部と、中央部二カ所の計四カ所、部分的に取り付けられる。この場合、取付辺４８をスイッチ取付板３６の被取付フランジ３９の前側に宛がい、ネジ孔５２を利用してネジ５３により取付辺４８と被取付フランジ３９を締め付けることで、各照明保持具４３はスイッチ取付板３６に取り付けられる。取り付けられた状態で、各照明保持具４３の起立辺４５はスイッチ取付板３６の起立壁４１の後側に少許間隔を存して対応する（図４）。
【００３５】
一方、サンプル保持台４４は一つのスイッチ取付板３６に対して左右に二個並設される。サンプル保持台４４は、透光性の樹脂素材にて成形されており、上壁５６と、前壁５７とを備えている。上壁５６には、半切り状の透光性商品サンプルＳを保持するための保持孔５８やその前側でこれも透光性ダミーカードを保持するための半円形有底スリット５９が複数形成され、更に、保持孔５８の後側にも同様のダミーカードを保持するためのスリット６１が何れも一体に形成されている。尚、各保持孔５８やスリット５９は各商品選択スイッチ６の後方にそれぞれ対応している。また、前壁５７の上下方向の中央部における左右端部には前方に突出した後、垂直に降下する係合片６２が一体に形成されている。また、前壁５７の前面は係合片６２の基部に位置する部分で水平に後退した、垂直に立ち上がる階段形状を呈しており、この立ち上がり部分の前側に形成された横長のスリット７８内に挿脱自在に挿入された状態で、前壁５７前面には冷温表示板７３が取り付けられる。
【００３６】
この冷温表示板７３は透明樹脂薄板より短冊状に構成されており、上部に冷表示部（例えば透光性青色地にＣＯＬＤ文字）７４、下部に逆さで温表示部（例えば透光性赤色地にＨＯＴ文字）７６が構成され、それらの間に透明な透明部７７が構成されている。係る構成により、冷温表示板７３は上下反転することで、上となる部分と透明部７７の半分がスリット７８から上側に突出して露出し、冷（ＣＯＬＤ）／温（ＨＯＴ）を切換表示可能とされている。図４、図５にはＣＯＬＤの冷表示部７４が表示された状態を示す。
【００３７】
また、各図において６６は照明装置である。この照明装置６６はシェードとして機能する透明（透光性の樹脂素材）な横長のケース６７と、このケース６７内に収納された複数のＬＥＤ素子６８から成り、ケース６７の後面左右から後下方にそれぞれ突出したクリップ部６９を備えている。このクリップ部６９には図示しないスリットが形成されている。各ＬＥＤ素子６８はケース６７内に取り付けられた横長の基板７１の上面（表側）に取り付けられている。
【００３８】
また、基板７１の裏側に位置するケース６７の下面には、長手方向に渡って略Ｊ字状に突出した配線保持部６３が一体に形成されており、更に、基板７１の裏側に位置するケース６７の下面の左右にはネジ止め用の溝付き孔が形成されたボス部６４が一体に形成されている。
【００３９】
以上の構成で、上記各部材を組み立てる際には、先ずウィンド板３０に前述した如くスイッチ取付板３６を用いて商品選択スイッチ６を取り付ける。尚、商品選択スイッチ６からの配線はスイッチ取付板３６の一側端から引き出し、外扉３の内側において本体２側の配線に接続する。そして、このスイッチ取付板３６にネジ５３を用いて前述した如く照明保持具４３を計四カ所取り付ける（尚、図７ではサンプル保持台４４側に照明保持具４３を分離して示している）。
【００４０】
次に、この照明保持具４３の保持辺４７にケース６７のクリップ部６９を上から係合させて底辺４６上側に照明装置６６を取り付ける。このとき、クリップ部６９の前記スリットに保持辺４７の突辺５１が進入して照明装置６６は照明保持具４３に安定的に保持される。この状態で、照明装置６６は保持辺４７の傾斜により、照明装置６６のＬＥＤ素子６８は斜め後ろ上方に指向した状態で保持される。尚、照明装置６６からの配線Ｌは、配線保持部６３内に纏めて引き回した後、照明装置６６の一側端から引き出し、外扉３の内側において本体２側の配線に接続する。また、実施例では保持辺４７を傾斜させたが、この傾斜は折曲度合いにより調整可能であり、更に、垂直に起立させてＬＥＤ素子６８を上方に指向させてもよい。
【００４１】
次に、二つのサンプル保持台４４を照明装置６６の上側に位置してスイッチ取付板３６に取り付ける。その際、左右二つのサンプル保持台４４の前壁５７前面を照明保持具４３の起立辺４５の後面に当接させ、係合片６２をスイッチ取付板３６の起立壁４１の前側に跨がわせ、その状態で降下させて係合片６２の先端（下端）を上からスイッチ取付板３６の係合孔４０Ａ内に挿入し、着脱可能に取り付ける。
【００４２】
このとき、起立辺４５の後面と係合孔４０Ａの後縁の間隔を、サンプル保持台４４の前壁５７前面と係合片６２の後面間の隙間よりも少許大きくしておく。これにより、起立辺４５はサンプル保持台４４の前壁５７前面にテンションで密接し、係合片６２の後面も係合孔４０Ａの後縁に当接するので、サンプル保持台４４の前後の移動は阻止され、また、系統片６２と係合孔４０Ａとの係合で左右方向への移動も阻止されるので、サンプル保持台４４は極めて安定的に取り付けられる。
【００４３】
また、一つのスイッチ取付板３６に対して二つのサンプル保持台４４が並設されるが、各サンプル保持台４４は隙間無く並ぶかたちとなるので、これによってサンプル保持台４４は上方にのみしか外せなくなる。
【００４４】
この状態で照明装置６６のＬＥＤ素子６８に通電し、点灯させると、その光は斜め後ろ上方に向かい、透明なケース６７及びサンプル保持台４４を通過して透光性の商品サンプルＳを下方から照明すると共に、上部側内扉２１の前面板３１（商品サンプル室４の背板）の前面を前下方から斜めに広い範囲で照明することになる。
【００４５】
ＬＥＤ素子６８からの光はまた、冷温表示板７３を後方から照明し、スリット７８から上に吐出しているＣＯＬＤ又はＨＯＴの文字を浮き出させる。また、ＬＥＤ素子６８からの光の一部はケース６７内面で反射して下方に向かい、部分的に取り付けられた照明保持具４３の間を通過してその下方に位置するサンプル保持台４４上の商品サンプルＳを上から照明すると共に、最下段のものからの光は広告表示部５を上から照明する。
【００４６】
ここで、図３では示していないが、商品サンプル室４の上部にも照明装置６６が取り付けられる。その構造を図１２、図１３を参照して説明する。商品サンプル室４の天井部を構成する外扉３の上部内板３Ａには、上部照明保持具８１が左右に渡って取り付けられている。そして、左右二つの照明装置６６は図４の状態から略９０°時計回りに回転された状態でこの上部照明保持具８１に取り付けられる。
【００４７】
この場合、上部照明保持具８１の後端には、斜め後ろ下方に突出する保持片８２が折曲形成されており、照明装置６６は、図４の状態から略９０°時計回りに回転され、ボス部６４の溝付き孔が斜め後ろ上方に開口した状態で、このボス部６４を用いて保持片８２にネジ８３によって取り付けられる。このように、クリップ部６９の他にケース６７に一体にボス部６４を形成しておくことにより、図４のようなクリップ部６９による取り付け状態に加えて、その状態から向きを変えた図１２や図１３のようにネジ８３を用いた取り付け方法も採ることができるようになり、汎用性が増す。
【００４８】
この状態で、照明装置６６のＬＥＤ素子６８は斜め後ろ下方に指向した状態で上部照明保持具８１に保持されるので、ＬＥＤ素子６８からの光は斜め前上方から斜めに広い範囲で上部側内扉２１の前面板３１（商品サンプル室４の背板）の前面を照明する。これにより、商品サンプル室４内及び上部側内扉２１の前面板３１（商品サンプル室４の背板）は上下から明るく照明されることになる。
【００４９】
以上詳述した如く本発明では、外扉３内に構成された商品サンプル室４内に位置してスイッチ取付板３６に照明保持具４３を取り付け、この照明保持具４３の上側に位置して照明装置６６を保持させ、この照明装置６６の上側に位置して商品サンプル室４内に商品サンプルＳを保持する透光性のサンプル保持台４４を設けると共に、照明保持具４３にスイッチ取付板３６の後側で起立する起立辺４５を形成し、サンプル保持台４４には、前壁５７から突出する係合片６２を形成し、前壁５７が起立辺４５の後面に当接した状態で、係合片６２がスイッチ取付板３６に上側から着脱可能に係合することによりサンプル保持台４４が取り付けられるようにしたので、商品サンプルＳを保持するサンプル保持台４４を、商品選択スイッチ６をウィンド板３０に取り付けるためのスイッチ取付板３６とそれに取り付けられる照明保持具４３を用いて取り付けることができるようになる。
【００５０】
これにより、商品サンプル室４の背面に位置する上部側内扉２１の前面板３１（商品サンプル室４の背板）にサンプル保持台４４を取り付ける必要が無くなるので、前面板３１（商品サンプル室４の背板）の前面に大型の広告パネル等を設けて広告を行うことが可能となる。従って、自動販売機１による商品の販売促進効果を著しく改善することができるようになる。
【００５１】
この場合、サンプル保持台４４の前壁５７を照明保持具４３の起立辺４５の後面に当接させた状態で、係合片６２をスイッチ取付板３６に上方から係合させる構造としたので、照明保持具４３の起立辺４５がサンプル保持台４４を取り付ける際の案内となり、サンプル保持台４４を取り付ける作業も極めて容易となる。また、サンプル保持台４４の前壁５７は照明保持具４３の起立辺４５に当接しており、且つ、サンプル保持台４４の係合片６２がスイッチ取付板３６に係合しているので、サンプル保持台４４は商品サンプル室４内に安定的に取り付けられる。
【００５２】
更に、サンプル保持台４４は透光性であるので、商品サンプルＳを透光性の素材にて構成すれば、下側に位置する照明装置６６からの光により商品サンプルＳを下方から照明し、際立たせることが可能となる。これにより、商品サンプルＳを商品サンプル室４内において浮遊感を持たせて陳列することができるようになり、これによっても商品の販売促進効果を顕著に向上させることが可能となるものである。
【００５３】
この場合、スイッチ取付板３６の上壁４０に係合孔４０Ａを形成し、サンプル保持台４４の係合片６２が、係合孔４０Ａに挿入されてスイッチ取付板３６に係合するようにしているので、サンプル保持台４４の左右方向への移動も規制され、より安定的にサンプル保持台４４を取り付けることができるようになる。
【００５４】
また、照明保持具４３を、スイッチ取付板３６に対して部分的に設けているので、照明保持具４３が照明装置６６からの光の照射の邪魔になり難くなり、商品サンプル室４内における商品サンプルＳの陳列効果がより一層向上する。
【００５５】
また、照明保持具４３が、照明装置６６を保持する保持片４７を有し、この保持片４７が照明装置６６を上方に指向させた状態で照明装置６６を保持するようにすれば、商品サンプルＳを下方から効果的に照明することができるようになる。一方、実施例のように斜め後ろ上方に指向させた場合には、前面板３１（商品サンプル室４の背板）も明るく照明して演出効果を向上させることができるようになる。
【００５６】
そして、実施例では照明装置６６をＬＥＤ素子６８にて構成しているので、蛍光灯等の照明器具を用いる場合に比して、省エネルギーと省資源にも寄与することができるようになる。
【００５７】
また、照明装置６６は、ＬＥＤ素子６８を収納する透光性のケース６７を有し、このケース６７にＬＥＤ素子６８の基板７１裏側に位置して当該ＬＥＤ素子６８からの配線Ｌを保持する配線保持部６３を一体に形成しているので、ＬＥＤ素子６８からの配線Ｌの処理も極めて容易に行うことができるようになると共に、配線ＬがＬＥＤ素子６８からの光の邪魔にもなり難くなる。
【００５８】
尚、上記実施例で示した自動販売機１の構成からは、以下の発明も把握することができるものである。即ち、
本体の前面開口を開閉自在に閉塞する外扉と、該外扉内に構成され、商品のサンプルを陳列する商品サンプル室とを備えた自動販売機において、
前記商品サンプル室内に設けられた照明装置を備え、
該照明装置は、ＬＥＤ素子と、該ＬＥＤ素子を収納する透光性のケースとを備え、
該ケースには、前記ＬＥＤ素子の基板裏側に位置してネジ止め用のボス部が一体に形成されていることを特徴とする自動販売機。
【００５９】
前記ケースには、前記基板裏側に位置して当該ＬＥＤ素子からの配線を保持する配線保持部が一体に形成されていることを特徴とする上記に記載の自動販売機。
【符号の説明】
【００６０】
１  自動販売機
２  本体
３  外扉
４  商品サンプル室
６  商品選択スイッチ
１６  商品収納部
２１  上部側内扉
３０  ウィンド板
３１  前面板（商品サンプル室の背板）
３６  スイッチ取付板
４０Ａ  係合孔
４３  照明保持具
４４  サンプル保持台
４５  起立辺
４７  保持辺
６２  係合片
６３  配線保持部
６４  ボス部
６６  照明装置
６７  ケース
６９  クリップ部
６８  ＬＥＤ素子
７１  基板
Ｌ  配線
Ｓ  商品サンプル
【図１】
2014112299.tif 000003
【図２】
2014112299.tif 000004
【図３】
2014112299.tif 000005
【図４】
2014112299.tif 000006
【図５】
2014112299.tif 000007
【図６】
2014112299.tif 000008
【図７】
2014112299.tif 000009
【図８】
2014112299.tif 000010
【図９】
2014112299.tif 000011
【図１０】
2014112299.tif 000012
【図１１】
2014112299.tif 000013
【図１２】
2014112299.tif 000014
【図１３】
2014112299.tif 000015